(57)【要約】      （修正有）【課題】摩耗及び摩擦による粉吹きを最小限に抑えることが可能なトレイ、そのトレイを備える再生装置を提供する。【解決手段】トレイ３１は、記録媒体が載置される載置面を有する載置部３１１と、前記載置部３１１の前記載置面とは反対側の面に形成されて前記記録媒体の搬送方向に沿って設けられる第１のレール３１２と、前記第１のレールと離間して前記第１のレール３１２に平行に設けられる第２のレール３１３と、を備え、前記第１のレール３１２及び前記第２のレール３１３は前記載置部３１１の厚み方向に凸凹する山部３１２ｂ、３１３ｂ及び谷部３１２ａ、３１３ａを有し、前記第１のレール３１２と前記第２のレール３１３とを両レールの離間方向で投影したときに、前記第１のレール３１２の谷部３１２ａは前記第２のレール３１３の山部３１３ｂに重複し、前記第２のレール３１３の谷部３１３ａは前記第１のレール３１２の山部３１２ｂに重複する。【選択図】図４
2014026687.tif 000002
【特許請求の範囲】
【請求項１】
記録媒体が載置される載置面を有する載置部と、前記載置部の前記載置面とは反対側の面に形成されて前記記録媒体の搬送方向に沿って設けられる第１のレールと、前記第１のレールと離間して前記第１のレールに平行に設けられる第２のレールと、を備え、前記第１のレール及び前記第２のレールは前記載置部の厚み方向に凸凹する山部及び谷部を有し、前記第１のレールと前記第２のレールとを両レールの離間方向で投影したときに、前記第１のレールの谷部は前記第２のレールの山部に重複し、前記第１のレールの谷部は前記第２のレールの山部に重複することを特徴とするトレイ。
【請求項２】
前記第１のレールと前記第２のレールとを両レールの離間方向で投影したときに、前記第１のレールの山部と前記第２のレールの山部とが一部重複することを特徴とする請求項１に記載のトレイ。
【請求項３】
前記第１のレールの山部と前記第２のレールの山部との重複部分は、前記第１のレール及び前記第２のレールの離間方向から見て各レールの山部の端部であることを特徴とする請求項１又は請求項２に記載のトレイ。
【請求項４】
前記第１のレールの山部と前記第２のレールの山部との重複部分の長さは、前記記録媒体の搬送距離の１０％以下であることを特徴とする請求項１〜請求項３のいずれか１項に記載のトレイ。
【請求項５】
前記第１のレールの山部及び前記第２のレールの山部は、少なくとも一方の端部に面取りが施されることを特徴とする請求項１〜請求項４のいずれか１項に記載のトレイ。
【請求項６】
開口を有する筐体と、前記筐体の開口を開閉する蓋体と、記録媒体を載置する載置面を有する載置部及び当該載置部の前記載置面とは反対側の面に形成されるとともに互いに平行に離間して設けられて夫々が前記蓋体に摺動可能な第１のレール及び第２のレールを有するトレイと、を備え、前記第１のレール及び前記第２のレールは前記載置部の厚み方向に凸凹する山部及び谷部を有し、前記第１のレールと前記第２のレールとを両レールの離間方向で投影したときに、前記第１のレールの谷部と前記第２のレールの山部が重複し、前記第１のレールの山部と前記第２のレールの谷部が重複することを特徴とする再生装置。
【発明の詳細な説明】
【技術分野】
【０００１】
本発明は、トレイ及び該トレイを備える再生装置に関し、詳細には、トレイの構造に関する。
【背景技術】
【０００２】
ディスクを再生するためのディスク再生装置が広く普及している。ディスク再生装置は前面に開口を有する筐体とディスクが載置されるトレイを備えており、トレイは筐体の前面開口を介して、筐体の前方に突出した挿脱位置と、筐体内に収納される収納位置の間を往復動する。これによってトレイに載置されたディスクが搬送され、トレイが収納位置に到達したときにディスクの再生が行われる。
【０００３】
このようなディスク再生装置において、さらに筐体の前面開口を覆う蓋体を有するものがある。蓋体はトレイが収納位置にあるときには、筐体の開口を塞いで筐体内への塵埃の侵入を防止する役割を果たす。一方、蓋体はトレイの搬送中（移動中）及びトレイが挿脱位置にあるときには、トレイが有するレールに摺動して、トレイを下方から支持してトレイの揺動を抑え、また、トレイがディスクの重量や自重によって撓むのを防ぐ役割を果たす（すなわち蓋体はトレイの支持体としての役割も果たす）。
【０００４】
しかしながら、トレイの搬送中やトレイが挿脱位置にあるときに、蓋体が常にトレイのレールに摺動すると、摩耗によって蓋体の寿命が短くなったり、トレイと蓋体の摩擦により粉吹きが発生するという問題があった。
【０００５】
なお、特許文献１の光ディスク装置はトレイを筐体（ローダーシャーシ）の側壁に付勢する付勢手段を有し、これによってトレイの揺動を抑えているが、付勢手段の摩耗という問題についてなんら考慮されていない。
【先行技術文献】
【特許文献】
【０００６】
【特許文献１】特開２０１１−１８４１６号公報
【発明の概要】
【発明が解決しようとする課題】
【０００７】
本発明は上述した問題点に鑑み、摩耗及び摩擦による粉吹きを最小限に抑えることが可能なトレイ、そのトレイを備える再生装置を提供することを目的とする。
【課題を解決するための手段】
【０００８】
上記目的を達成するために本発明のトレイは、記録媒体が載置される載置面を有する載置部と、前記載置部の前記載置面とは反対側の面に形成されて前記記録媒体の搬送方向に沿って設けられる第１のレールと、前記第１のレールと離間して前記第１のレールに平行に設けられる第２のレールと、を備え、前記第１のレール及び前記第２のレールは前記載置部の厚み方向に凸凹する山部及び谷部を有し、前記第１のレールと前記第２のレールとを両レールの離間方向で投影したときに、前記第１のレールの谷部は前記第２のレールの山部に重複し、前記第１のレールの谷部は前記第２のレールの山部に重複することを特徴とする。
【０００９】
この構成によれば、第１のレールと第２のレールが夫々山部と谷部を有し、両レールの離間方向で投影したときに、第１のレールの谷部は第２のレールの山部に重複し、第１のレールの谷部は第２のレールの山部に重複するように形成される。つまり第１のレールの山部と第２のレールの山部によって記録媒体を搬送するので、記録媒体の搬送時間／搬送距離に対して、第１のレールの山部による搬送時間／搬送距離及び第２のレールの山部による搬送時間／搬送距離が短時間／短距離になる。
【００１０】
また上記構成のトレイにおいて、第１のレールと前記第２のレールとを両レールの離間方向で投影したときに、前記第１のレールの山部と前記第２のレールの山部とが一部重複することが望ましい。
【００１１】
この構成によれば、トレイ搬送中において第１のレールの山部と第２のレールの山部によって搬送されている時間を設けることができる。従って、トレイの揺動を防ぐことができる。
【００１２】
また上記構成のトレイにおいて、前記第１のレールの山部と前記第２のレールの山部との重複部分は、前記第１のレール及び前記第２のレールの離間方向から見て各レールの山部の端部であることが望ましい。
【００１３】
この構成によれば、各レールの山部の端部において、トレイの搬送を第１のレールの山部と第２のレールの山部で行う。従って、記録媒体の搬送時において、第１のレールの山部によって搬送されているときと第２のレールの山部によって搬送されているときを切り替える際に、第１のレールの山部及び第２のレールの山部によって搬送されている時間を設けることができる。これにより、レール切り替えの際にトレイの揺動が発生するのを防ぐことができる。
【００１４】
また上記構成のトレイにおいて、前記第１のレールの山部と前記第２のレールの山部との重複部分の長さは、前記記録媒体の搬送距離の１０％以下であることが望ましい。
【００１５】
この構成によれば、第１のレール及び第２のレールの摩耗を最小限に抑えつつ、記録媒体搬送時におけるトレイの揺動を抑制することができる。
【００１６】
また上記構成のトレイにおいて、前記第１のレールの山部及び前記第２のレールの山部は、少なくとも一方の端部に面取りが施されることが望ましい。
【００１７】
この構成によれば、記録媒体の搬送時において、第１のレールによって搬送されているときと第２のレールによって搬送されているときを切り替える際に、徐々に一方のレールから他方のレールにトレイの重量をかけることができる。従って、トレイの揺動を防ぐことができる。
【００１８】
上記目的を達成するために本発明の再生装置は、開口を有する筐体と、前記筐体の開口を開閉する蓋体と、記録媒体を載置する載置面を有する載置部及び当該載置部の前記載置面とは反対側の面に形成されるとともに互いに平行に離間して設けられて夫々が前記蓋体に摺動可能な第１のレール及び第２のレールを有するトレイと、を備え、前記第１のレール及び前記第２のレールは前記載置部の厚み方向に凸凹する山部及び谷部を有し、前記第１のレールと前記第２のレールとを両レールの離間方向で投影したときに、前記第１のレールの谷部と前記第２のレールの山部が重複し、前記第１のレールの山部と前記第２のレールの谷部が重複することを特徴とする。
【００１９】
この構成によれば、第１のレールと第２のレールが夫々山部と谷部を有し、両レールの離間方向で投影したときに、第１のレールの谷部は第２のレールの山部に重複し、第１のレールの谷部は第２のレールの山部に重複するように形成されるので、トレイに載置された記録媒体を搬送するときには、各レールの山部と蓋体が摺動する。従って、記録媒体の搬送時間／搬送距離に対して、第１のレールの山部と蓋体との摺動時間／摺動距離、及び、第２のレールの山部と蓋体との摺動時間／摺動距離が短時間／短距離になる。よって、トレイ及び蓋体の摩耗及び粉吹きの発生を抑えることができる。
【発明の効果】
【００２０】
本発明によれば、第１のレールと第２のレールが夫々山部と谷部を有し、両レールの離間方向で投影したときに、第１のレールの谷部は第２のレールの山部に重複し、第１のレールの谷部は第２のレールの山部に重複するように形成される。つまり第１のレールの山部と第２のレールの山部によって記録媒体を搬送するので、記録媒体の搬送時間／搬送距離に対して、第１のレールの山部による搬送時間／搬送距離及び第２のレールの山部による搬送時間／搬送距離が短時間／短距離になる。
【図面の簡単な説明】
【００２１】
【図１】は、本発明の第１実施形態の再生装置を示す第１の底面斜視図である。
【図２】は、本発明の第１実施形態の再生装置を示す第２の底面斜視図である。
【図３】は、本発明の第１実施形態の再生装置が備えるトレイを示す上面斜視図である。
【図４】は、本発明の第１実施形態の再生装置が備えるトレイを示す底面図である。
【図５】は、図４のＨ部の拡大図である。
【図６】は、図４のＩ部の拡大図である。
【図７】は、本発明の第２実施形態の再生装置が備えるトレイを示す底面図である。
【発明を実施するための形態】
【００２２】
[第１実施形態]
以下に本発明の再生装置ついて図面を参照して説明する。但し、以下に示す実施形態は、本発明の技術的思想を具体化するために本発明の再生装置の一例を示すものであって、本発明をこの再生装置に特定することを意図するものではなく、特許請求の範囲に含まれるその他の実施形態の装置にも等しく適応し得るものである。
【００２３】
なお、以下、再生装置として光ディスク再生装置を例に説明を行うが、再生装置は光ディスク再生装置に限られるものではない。光ディスク再生装置、光ディスク記録装置、情報処理装置（パーソナルコンピュータ）等、記録媒体の再生・読込を行う機能を有する種々の再生装置に適用することができる。
【００２４】
また、以下、記録媒体として光ディスクを例に説明を行うが、記録媒体は光ディスクに限られるものではない。例えば、ＳＤカード、ＨＤＤ等であることとしてもよい。例えば記録媒体をＨＤＤとし、再生装置をフロントからＨＤＤの挿脱が可能な情報処理装置であることとしてもよい。
【００２５】
図１は本実施形態の再生装置を示す第１の底面斜視図である。また、図２は本実施形態の再生装置を示す第２の底面斜視図である。後述するようにトレイ３１には光ディスクが載置され、光ディスクを光ディスクの挿脱位置と光ディスクの収納位置の間で搬送する。図１は光ディスクの搬送中であって、光ディスクの挿脱位置に近い状態を示し、図２は光ディスクの搬送中であって、光ディスクの収納位置に近い状態を示している。
【００２６】
光ディスク再生装置１は、筐体２、ディスクドライブ３（不図示）、蓋体４を備える。筐体２は前面に開口２ａを有する。ディスクドライブ３は光ディスクが載置されるトレイ３１、光ディスクの情報記録面にレーザ光を照射して情報の記録・再生を行う光ピックアップ３２（不図示）を有する。
【００２７】
蓋体４は筐体２に対して下開き可能に取り付けられ、トレイ３１が筐体２内に収納されているとき（すなわちトレイ３１が収納位置にいるとき）に筐体２の開口２ａを閉状態とし、トレイ３１が筐体２内に収納されていないとき（すなわちトレイ３１が搬送中又は挿脱位置にいるとき）に筐体２の開口２ａを開状態にする。
【００２８】
また、上述したように、蓋体４は筐体２に対して下開き可能に取り付けられており、トレイ３１が筐体２内に収納されていないときには、トレイ３１を下方から支持する支持部材となり、トレイ３１の揺動を抑える。
【００２９】
トレイ３１について図３及び図４を参照して詳説する。図３は本実施形態の光ディスク再生装置が備えるトレイを示す上面斜視図である。また、図４は本実施形態の光ディスク再生装置が備えるトレイを示す底面図である。トレイ３１はディスクが載置される載置面３１１ａを有する載置部３１１と、トレイ３１の裏面（載置部３１１の載置面とは反対側の面）３１１ｂに形成されるとともにトレイ３１の長さ方向に延びて（搬送方向に沿って）平行に且つ離間して設けられる第１のレール３１２及び第２のレール３１３を有する。また、トレイ３１には矩形状の開口３１４が形成されており、トレイ３１が収納位置にあるときに、光ピックアップ３２から射出されるレーザ光が開口３１４を介して光ディスクの情報記録面に照射される。
【００３０】
第１のレール３１２と第２のレール３１３は、突起部４１に摺動可能に設けられている。すなわち、光ディスクの取り出し動作が指示されるとトレイ３１が収納位置から挿脱位置に移動し、光ディスクの再生動作が指示されるとトレイ３１が挿脱位置から収納位置に移動する。
【００３１】
光ディスクの取り出し動作が指示された場合を例に説明すると、蓋体４はトレイ３１の移動動作によって（トレイ３１に押されて）筐体２に対して下開きし、筐体２の開口２ａを開状態にする。そしてトレイ３１がさらに移動すると第１のレール３１２、第２のレール３１３が夫々突起部４１に摺動し、挿脱位置に向かって移動する。
【００３２】
トレイ３１は蓋体４によって下方から支持されることで挿脱位置に近づくにつれて、トレイ３１がトレイ３１や光ディスクの重さによって撓むことが防がれる。また、第１のレール３１２と第２のレール３１３が突起部４１に摺動して挿脱位置に近づくので、トレイ３１の揺動が抑えられる。以下に、トレイ３１の摺動動作についてさらに説明する。
【００３３】
図５及び図６が示すように第１のレール３１２と第２のレール３１３は夫々載置部３１１の厚み方向（トレイ３１の厚み方向）に凸凹する山部と谷部を有する。そして第１のレール３１２を第２のレール３１３に投影したときに第１のレール３１２の谷部３１２ａは第２のレール３１３の山部３１３ｂに重複し、第２のレール３１３の谷部３１３ａは第１のレール３１２の山部３１２ｂに重複する。
【００３４】
なお、本実施形態において各レール３１２、３１３の谷部３１２ａ、３１３ａは、各レール３１２、３１３の山部３１２ｂ、３１３ｂよりも、トレイ３１の裏面からの高さが低ければよい。従って、山部３１２ｂ、３１３ｂよりも高さが低い部材をトレイ３１の裏面に設けて谷部３１２ａ、３１３ａを形成することとしてもよいし、トレイ３１の裏面に山部３１２ｂ、３１３ｂのみを設けて（谷部３１２ａ、３１３ａとして特別な部材を設けることなく）谷部３１２ａ、３１３ａを形成することとしてもよい。
【００３５】
トレイ３１が収納位置から挿脱位置に移動するときを例にトレイ３１の摺動動作を説明する。トレイ３１が収納位置から挿脱位置に移動し始めると、図２に示すように、第１のレール３１２の山部３１２ｂと突起部４１が摺動する。一方、第２のレール３１３の谷部３１３ａと突起部４１は摺動しない。
【００３６】
つまりトレイ３１が収納位置から所定の位置に至るまでの間においてトレイ３１は第１のレール３１２（第１のレール３１２の山部３１２ｂ）のみが突起部４１に摺動することによって搬送される。以下、「収納位置から所定の位置まで距離」を「第１の摺動距離」、「収納位置から所定の位置までの摺動時間（トレイ３１が第１のレール３１２と突起部４１の摺動のみによって搬送される距離）」を「第１の摺動時間」ともいう。
【００３７】
これに対して、トレイ３１が所定位置から収納位置に移動し始めると、図１に示すように、第２のレール３１３の山部３１３ｂと突起部４１が摺動する。一方、第１のレール３１２の谷部３１２ａと突起部４１は摺動しない。
【００３８】
つまりトレイ３１が所定の位置から収納位置に至るまでの間においてトレイ３１は第２のレール３１３（第２のレール３１３の山部３１３ｂ）のみが突起部４１に摺動することによって搬送される。以下、「所定の位置から収納位置までの距離（トレイ３１が第２のレール３１３と突起部４１の摺動のみによって搬送される距離）」を「第２の摺動距離」、「所定の位置から収納位置までの摺動時間」を「第２の摺動時間」ともいう。
【００３９】
第１のレール３１２と第２のレール３１３は、第１の摺動距離と第２の摺動距離が略同距離となるように、及び／又は、第１の摺動時間と第２の摺動時間が略同時間となるように形成される。
【００４０】
また、第１のレール３１２の山部３１２ｂ及び第２のレール３１３の山部３１３ｂの端部（第１のレール及び３１２第２のレール３１３の離間方向から見て端部であり、以下単に「端部」という。）には面取り（Ｃ面取り、ｃｈａｍｆｅｒｉｎｇ）が施されている。面取りは山部３１２ｂ及び山部３１３ｂにおいて両端部に施されていてもよいし、一方の端部に施されていることとしてもよい。一方の端部に施される場合には、図５及び図６に示すように、各山部３１２ｂ、３１３ｂにおいて、トレイ３１の搬送中に突起部４１と接触する端部に面取りを施すことが望ましい。
【００４１】
本実施形態によれば、第１のレールと第２のレールが夫々山部と谷部を有し、両レールの離間方向で投影したときに、第１のレールの谷部は第２のレールの山部に重複し、第１のレールの谷部は第２のレールの山部に重複するように形成されるので、トレイに載置された記録媒体を搬送するときには、各レールの山部と蓋体４（突起部４１）が摺動する。従って、記録媒体の搬送時間／搬送距離に対して、第１のレールの山部と蓋体との摺動時間／摺動距離、及び、第２のレールの山部と蓋体との摺動時間／摺動距離が短時間／短距離になる。よって、トレイ及び蓋体の摩耗及び粉吹きの発生を抑えることができる。
【００４２】
また、各レールの山部の少なくとも一方の端部に面取りが施されるので、記録媒体の搬送時において、第１のレールによって搬送されているときと第２のレールによって搬送されているときを切り替える際に、徐々に一方のレールから他方のレールにトレイの重量をかけることができる。従って、トレイの揺動を防ぐことができる。
【００４３】
[第２実施形態]
図７は本実施形態の光ディスク再生装置が備えるトレイを示す底面図である。なお、第１実施形態の光ディスク再生装置が備えるトレイと同一部分には同一の符号を付し、説明を省略する。
【００４４】
上記第１実施形態においては、第１のレール３１２の谷部３１２ａと第２のレール３１３の山部３１３ｂの長さ、及び、第１のレール３１２の山部３１２ｂと第２のレール３１３の谷部３１３ａの長さを略同一とし、トレイ３１が、一方の山部が突起部４１に摺動することで搬送されるときは、他方の山部と突起部が摺動しないこととした。
【００４５】
これに対して本実施形態では、第１のレール３１２の谷部３１２ａよりも第２のレール３１３の山部３１３ｂの長さを長くし、また、第１のレール３１２の山部３１２ｂよりも第２のレール３１３の谷部３１２ａの長さを長くすることとする。
【００４６】
言い換えれば図７に示すように、第１のレール３１２の山部３１２ｂと第２のレール３１３の山部３１３ｂを両レールの離間方向で投影したときに、両山部が一部重複するように形成される。
【００４７】
なお、本実施形態において両山部の重複部分は、各レールの面取り部（面取りが施された部分）を含まないことが望ましい。
【００４８】
また、本実施形態において第１のレール３１２の山部３１２ｂと第２のレール３１３の山部３１３ｂの長さは略同一であってもよいし、異なる長さであってもよい。すなわち、第１のレール３１２と第２のレール３１３は、第１の摺動距離と第２の摺動距離が略同距離となるように、及び／又は、第１の摺動時間と第２の摺動時間が略同時間となるように形成されればよい。
【００４９】
各山部３１２ｂ、３１３ｂにおいて重複する部分は各山部３１２ｂ、３１３ｂの端部である。ここで、両山部３１２ｂ、３１３ｂの重複部分の長さＬ１（図７参照）は、トレイ３１の揺動の抑制の観点からは長い方がよいが、突起部４１の摩耗及び粉吹きの防止の観点からは短い方がよい。
【００５０】
そして、重複部分の長さＬ１がトレイ３１の摺動距離（すなわち挿脱位置から収納位置までの距離）の１０％よりも長いときは、突起部４１の摩耗や粉吹きの問題が生じやすくなる。従って、重複部分の長さＬ１はトレイ３１の摺動距離（すなわち挿脱位置から収納位置までの距離）の１０％以下であることが望ましい。
【００５１】
本実施形態によれば第１実施形態と同様の効果を奏する。加えて、トレイ搬送中において、第１のレールの山部と第２のレールの山部によって搬送されている時間（両レールの山部が共に蓋体に摺動している時間）を設けることができる。従って、トレイの揺動を防ぐことができる。
【００５２】
また、各レールの山部の端部において、トレイの搬送を第１のレールの山部と第２のレールの山部で行う。従って、記録媒体の搬送時において、第１のレールの山部によって搬送されているときと第２のレールの山部によって搬送されているときを切り替える際に、第１のレールの山部及び第２のレールの山部によって搬送されている時間（両レールの山部が共に蓋体に摺動している時間）を設けることができる。これにより、レール切り替えの際にトレイの揺動が発生するのを防ぐことができる。
【００５３】
また、第１のレールの山部と第２のレールの山部との重複部分の長さが、トレイと蓋体との摺動距離（光ディスクの搬送距離）の１０％以下なので、第１のレール及び第２のレールの摩耗を最小限に抑えつつ、記録媒体搬送時におけるトレイの揺動を抑制することができる。
【００５４】
[その他]
上記第１実施形態及び第２実施形態において各レールは１の山部と１の谷部を有することとしているが（特に、図３〜図７参照）、これに限られるものではなく複数の山部と複数の谷部を有することとしてもよい。
【産業上の利用可能性】
【００５５】
本発明は、トレイ及び該トレイを備える再生装置に利用できる。
【符号の説明】
【００５６】
１      光ディスク再生装置
２      筐体
３      ディスクドライブ
４      蓋体
３１    トレイ
３１１  載置部
３１２  第１のレール
３１３  第２のレール
３１４  開口
【図１】
2014026687.tif 000003
【図２】
2014026687.tif 000004
【図３】
2014026687.tif 000005
【図４】
2014026687.tif 000006
【図５】
2014026687.tif 000007
【図６】
2014026687.tif 000008
【図７】
2014026687.tif 000009